(57)【要約】【課題】本発明は、ユーザーがキーロック状態を解除するための解除キーを覚える必要なく、キーロック状態を容易に解除することが可能なキーロック機能付き携帯電話機を提供することを目的とする。【解決手段】複数の操作キーを有する操作部を備え、前記操作キーの操作に応じた処理の実行を抑止するキーロック機能を有する携帯電話機１００であって、キーロックの実行中に、複数の前記操作キーの操作を検知し、前記操作キーの操作が検知された場合に、キーロックを解除する所定の解除キーが複数の前記操作キーのうちの何れであるかを通知する。【選択図】 図１
2006025346.tif 000002
【特許請求の範囲】
【請求項１】
複数の操作キーを有する操作部を備え、前記操作キーの操作に応じた処理の実行を抑止するキーロック機能を有する携帯電話機であって、
キーロックの実行中に、前記操作キーの操作を検知する検知手段と、
前記操作キーの操作が検知された場合に、キーロックを解除する所定の解除キーが複数の前記操作キーのうちの何れであるかを通知する通知手段と、
を備えることを特徴とする携帯電話機。
【請求項２】
前記携帯電話機は、表示部を備え、
前記通知手段は、
前記解除キーを識別する識別情報を記憶している記憶手段と、
前記操作が検知された場合に、前記識別情報を読出して、前記表示部に表示する表示手段と
を有することを特徴とする請求項１記載の携帯電話機。
【請求項３】
前記携帯電話機は、前記表示部を照らし、照明の輝度の調整が可能な照明部を備え、
前記照明部は、前記操作が検知された場合に、前記表示部を全輝度より小さい輝度で照らし、前記解除キーの操作が検知された場合に、前記表示部を全輝度で照らす
ことを特徴とする請求項２記載の携帯電話機。
【発明の詳細な説明】
【技術分野】
【０００１】
本発明は、キーロック機能付き携帯電話機に関する。
【背景技術】
【０００２】
近年、携帯電話機においては、携帯電話機の収納中の衝撃に基づく周辺物品との接触などによって偶然に発生する操作キーの誤操作を防止するため、キー操作に応じて携帯電話機の実行する処理を無効にするキーロック機能付きのものが普及している。
これらのキーロック機能付き携帯電話機においては、キーロック機能の実行後のキーロック状態の解除は、セキュリティーの観点からユーザーによる暗証番号の入力によって行われていたが、実際の使用においては、キーロック機能は、セキュリティー目的ではなく、収納時の誤動作防止の目的で使用されることが多いため、暗証番号の入力操作は、ユーザーにとって手間がかかる操作となっていた。
【０００３】
そこで、キーロック状態の解除をより容易に行う技術として、特許文献１には、予め設定された特定のキーを操作するだけで、簡単にキーロック状態を解除する技術が開示されている。
これにより、ユーザーは、キーロック機能の実行後、容易にその解除を行うことができる。
【特許文献１】特開2000-32098
【発明の開示】
【発明が解決しようとする課題】
【０００４】
しかしながら、上記の従来技術おいては、ユーザーは、キーロックを解除するため、どの操作キーが解除キーであるかをいちいち覚えていなければならず、これらを忘れてしまったりすると、キーロック状態をなかなか解除できないという問題が生じる。
上記課題を解決するため、本発明は、ユーザーがキーロック状態を解除するための解除キーを覚える必要なく、キーロック状態を容易に解除することが可能なキーロック機能付き携帯電話機を提供することを目的とする。
【課題を解決するための手段】
【０００５】
上記課題を解決するために、本発明は、複数の操作キーを有する操作部を備え、前記操作キーの操作に応じた処理の実行を抑止するキーロック機能を有する携帯電話機であって、キーロックの実行中に、前記操作キーの操作を検知する検知手段と、前記操作キーの操作が検知された場合に、キーロックを解除する所定の解除キーが複数の前記操作キーのうちの何れであるかを通知する通知手段とを備える。
【発明の効果】
【０００６】
本発明は、上記構成を備えることにより、ユーザーは操作キーの操作により、キーロックを解除するキーを知ることができるので、ユーザーはキーロック状態を解除するための解除キーを覚える必要なく、キーロック状態を容易に解除することができる。
ここで、前記携帯電話機は、表示部を備え、前記通知手段は、前記解除キーを識別する識別情報を記憶している記憶手段と、前記操作が検知された場合に、前記識別情報を読出して、前記表示部に表示する表示手段とを有することとしてもよい。
【０００７】
これにより、ユーザーは、表示部の表示を介して容易にキーロックを解除するための解除キーを確認することができる。
ここで、前記携帯電話機は、前記表示部を照らし、照明の輝度の調整が可能な照明部を備え、前記照明部は、前記操作が検知された場合に、前記表示部を全輝度より小さい輝度で照らし、前記解除キーの操作が検知された場合に、前記表示部を全輝度で照らすこととしてもよい。
【０００８】
これにより、少ない消費電力で、表示部を介してキーロックを解除するための解除キーを確認することができる。
【発明を実施するための最良の形態】
【０００９】
＜構成＞
図１は、本発明の実施の形態１における携帯電話機１００の構成を示す機能ブロック図である。携帯電話機１００は、図１に示す通り、アンテナ１０１、無線部１０２、操作部１０３、表示部１０４、制御部１０５、メモリ１０６、音声処理部１０７、マイク１０８、スピーカー１０９、照明部１１０から構成される。
【００１０】
無線部１０２は、アンテナ１０１を介して、基地局（図外）から送信された位置情報、メール着信情報、音声データ、文字データ、画像データを含む通信信号を受信し、復調処理して、通信データとして制御部１０５に出力し、制御部１０５より入力される制御データや音声データ、文字データ、画像データなどの通信データを変調処理し、アンテナ１０１を介して基地局に送信する。
【００１１】
ここで、「位置情報」とは、第二世代コードレス電話システム標準規格ＲＣＲ−ＳＴＤ−２８（ＲＥＳＥＡＲＣＨ ＡＮＤ ＤＥＶＥＬＯＰＭＥＮＴ ＲＡＤＩＯ ＳＹＳＴＥＭ ＳＴＡＮＤＡＲＤ−２８）に規定された報知メッセージのことをいい、位置情報には、送信元の基地局を識別する基地局識別子、当該基地局が属する呼出エリアを識別するためのエリア番号などが含まれている。
【００１２】
又、「メール着信情報」とは、携帯電話機１００のメールアドレスが登録されているメールサーバに外部の端末から当該メールアドレス宛の電子メールが送信された場合に、当該メールサーバから基地局を介して携帯電話機１００に送信される、当該電子メールのヘッダ部分に記述されている、当該電子メールの受信日時、発信元及び発信先のメールアドレス、メールのタイトル、メールの送信経路情報等を含む情報のことをいう。
【００１３】
操作部１０３は、各種のユーザー指示を入力するための、選択キーや０番〜９番までの番号キーなどの各種キーを含み、各種キーを介してユーザーからの各種指示を受取り、制御部１０５に出力する。
図２は、操作部１０３に配置されている各種キーの具体例を示す。
図３は、操作部１０３のサイドに配置されている各種サイドキーの具体例を示す。
【００１４】
表示部１０４は、制御部１０３より入力された、Ｄ／Ａ変換後の文字データ、映像データに基づいて、文字メッセージや画像を表示する。
メモリ１０６は、解除キー情報を記憶している。
「解除キー情報」とは、キーロックが携帯電話機１００において実行されている場合に、キーロックを解除するための解除キーが操作部１０３のどのキーであるかを文字メッセージで示す解除キー識別情報のことをいう。
【００１５】
又、「キーロック」とは、操作部１０３のキー操作に応じて携帯電話機１００が、当該キーに予め割当てられている処理を実行するのを無効にする処理のことをいう。
ここでは、図３に示すサイドキー１０３ａを解除キーとする。
音声処理部１０７は、制御部１０５から入力された音声データをＤ／Ａ変換してスピーカー１０９に出力し、マイク１０８から入力された音声信号をＡ／Ｄ変換して制御部１０５に出力する。
【００１６】
照明部１１０は、発光素子（発光ダイオード）１１１及び発光素子１１２とから構成され、制御部１０５から入力される点灯指示に基づいて、発光素子１１１及び１１２を点灯し、表示部１０４を照らし、制御部１０５から入力される消灯指示に基づいて、発光素子１１１及び１１２を消灯する。
制御部１０５は、マイクロプロセッサとＲＯＭ（Read Only Memory）及びＲＡＭ（Random Access Memory）、などから構成され、ＲＯＭに格納されている制御プログラムに従って、携帯電話機１００の全体の制御を行なう。
【００１７】
又、制御部１０５は、ＲＯＭに格納されているキーロック制御プログラムに従って、後述するキーロック制御処理を行なう。キーロック制御プログラムは、操作部１０３からのユーザーのキー入力に応じて、制御部１０５によって起動される。
又、制御部１０５は、上記の機能に加え、無線部１０２から入力された通信データの内、音声データを音声処理部１０７に出力し、文字データ、映像データをＤ／Ａ変換して表示部１０４に出力し、音声信号に変換し、レシーバ１５に出力し、又、マイク１４から入力された音声を音声信号に変換し、通信データとして無線部１０２に出力する。
＜動作＞
次に制御部１０５の行うキーロック制御処理の動作について説明する。図５は、上記処理の動作を示すフローチャートである。以下、図５を参照して上記処理の動作について説明する。
【００１８】
制御部１０５は、操作部１０３から、キーロック制御プログラムの起動を指示するキー入力があると、ＲＯＭに格納されているキーロック制御プログラムを読出し、キーロック制御プログラムを起動し（ステップＳ５０１）、キーロックを開始し（ステップＳ５０２）、操作部１０３からのキー操作入力が有るか否かを監視する（ステップＳ５０３）。
ステップＳ５０３において、操作部１０３からのキー操作入力が有った場合（ステップＳ５０３：Ｙ）、キー操作入力があったキーが解除キー（ここでは、サイドキー１０３ａ）であるか否かを判定する（ステップＳ５０４）。
【００１９】
ステップＳ５０４において、キー操作入力があったキーが解除キーでない場合（ステップＳ５０４：Ｎ）、照明部１１０に発光素子の１つ（ここでは、発光素子１１１とする。）を点灯するように指示し、表示部１０４の照明を半点灯させ（ステップＳ５０５）、メモリ１０６に記憶されている解除キー情報を読出し、表示部１０４に出力し、解除キー情報を表示させる（ステップＳ５０６）。
【００２０】
ここで、「半点灯」とは、照明部１１０の２つの発光素子１１１及び１１２のうちの何れか１つが点灯し、他の１つが消灯している状態のことをいう。
図４は、表示部１０４の照明が半点灯され、解除キー情報が表示部１０４に表示されている様子を示す模式図である。
ステップＳ５０４において、キー操作入力があったキーが解除キーである場合（ステップＳ５０４：Ｙ）、制御部１０５は、キーロックを解除し（ステップＳ５０７）、照明部１１０に２つの発光素子１１１及び１１２の点灯を指示し、表示部１０４の照明を全点灯させる（ステップＳ５０８）。
＜補足＞
以上、本発明に係る携帯電話機１００について、実施の形態に基づいて説明したが、本発明はこれら実施の形態に限られないことは勿論である。
（１）例えば、本実施の形態においては、解除キー情報を文字メッセージで表示部１０４に表示させることにより解除キー情報を通知することとしたが、文字メッセージでなく、音声メッセージでスピーカー１０９から出力することにより、解除キー情報を通知することとしてもよい。
【００２１】
又、文字メッセージや音声メッセージで通知する代わりに、解除キーの近傍にランプを配置（例えば、サイドキー１０３ａの真下や真横に配置）し、ランプを照らすことにより、解除キーを通知することとしてもよい。或いは、ランプを点滅させることにより通知することとしてもよい。
（２）本実施の形態においては、解除キーをサイドキー１０３ａとしたが、解除キーは、サイドキーに限らず、図２に示す操作部１０３の何れかの操作キーを解除キーとしてもよい。
（３）本実施の形態においては、図５のフローチャートに示すように、操作部１０３の特定の操作キーであるサイドキー１０３ａの操作入力が有った場合に、解除キーであると判定する（ステップＳ５０４：Ｙ）こととしたが、ステップＳ５０４の処理の代わりに、制御部１０５がステップＳ５０３において、キー操作入力があった操作部１０３の操作キー（何れの操作キーであってもよい）が所定時間以上、押下された否かを判定し、所定時間以上押下された場合に、キー操作入力が有ったキーが解除キーであると判定し、そうでない場合に、解除キーでないと判定することとし、解除キー情報として、例えば、「何れかの操作キーを長押しして下さい」という旨の文字メッセージを予めメモリ１０６に記憶させておき、図５のステップＳ５０６において、その旨の文字メッセージを解除キー情報として表示させることとしてもよい。
【産業上の利用可能性】
【００２２】
キーロック機能付き携帯電話機において、キーロック状態を簡易に解除するための技術として利用できる。
【図面の簡単な説明】
【００２３】
【図１】本発明の実施の形態１における携帯電話機１００の構成を示す機能ブロック図である。
【図２】操作部１０３に配置されている各種キーの具体例を示す。
【図３】操作部１０３のサイドに配置されている各種サイドキーの具体例を示す。
【図４】表示部１０４の照明が半点灯され、解除キー情報が表示部１０４に表示されている様子を示す模式図である。
【図５】制御部１０５の行うキーロック制御処理の動作を示すフローチャートである。
【符号の説明】
【００２４】
１００  携帯電話機
１０１  アンテナ
１０２    無線部
１０３    操作部
１０４    表示部
１０５    制御部
１０６    メモリ
１０７    音声処理部
１０８    マイク
１０９    スピーカ
１１０    照明部
１１１    発光素子
１１２    発光素子
【図１】
2006025346.tif 000003
【図２】
2006025346.tif 000004
【図３】
2006025346.tif 000005
【図４】
2006025346.tif 000006
【図５】
2006025346.tif 000007